(57)【要約】      （修正有）【課題】フィルムの袋の四隅角が角丸である角丸袋の製袋装置を提供する。【解決手段】角丸袋の製袋装置は、（１）各袋の定寸カツト寸法を設定する手段、（２）各袋の定寸カツト位置が印刷されている、印刷間隔を計測するセンサー（３）計測された袋の計測袋部がカツト位置にきたときに、計測袋の計測値をサーボモータ７に伝達してサーボモータを停止させてカツトする手段、以上の（１）〜（３）の構成からなる。定位置に角丸カツト装置４を設定し、角丸カツト装置４は平行移動式アクチュエータ５を使用し、センサーにて、各袋の定寸カツト位置が印刷されている、印刷間隔を計測された袋の計測袋部が角丸カツト位置にきたときに、計測袋の計測値をサーボモータ７に伝達して、平行移動式アクチュエータ５を角丸カツト位置に移動させて角丸カツトする。【選択図】図３
0003215085.tif 000002
【実用新案登録請求の範囲】
【請求項１】
合成樹脂性フイルムに、各袋の定寸カツト位置が印刷されている、フイルムを袋の四隅を角丸に加工された角丸袋の製袋装置において、下記の手段を用いる、
各袋の定寸カツト寸法を設定１する、次に、センサー６にて、各袋の定寸カツト位置が印刷されている、印刷間隔Ａ２を計測２をする、計測された袋Ａの計測袋部Ａがカツト位置３にきたときに、計測袋Ａの計測数２をサーボモータ５に伝達してサーボモータを停止させてカツトする、角丸袋の製袋装置。
【請求項２】
上記一連の手段において、角丸カツト４装置を、定位置に角丸カツト装置を設定する、角丸カット装置は平行移動式アクチュエータを使用する４、上記センサー６にて、各袋の定寸カツト位置が印刷されている、印刷間隔Ｂ２を計測された袋Ｂの計測袋部Ｂが角丸カツト位置４にきたときに、計測袋Ｂの計測数２を平行移動式アクチュエータ５に伝達して平行移動式アクチュエータを角丸カツトと位置に平行移動式アクチュエータが角丸カツト装置を平行移動式アクチェータで移動させて角丸カットする、角丸袋の製袋装置。
【考案の詳細な説明】
【技術分野】
【０００１】  本考案は、袋の四隅を角丸袋に加工された角丸袋の製袋装置に関する考案である。
【考案の概要】
【考案が解決しようとする課題】
【０００２】  従来の袋は、袋の四隅が角ばつているため、袋の四隅の角丸袋を加工することが困難であった。【０００３】  従来の袋の四隅を角丸に加工すると、角丸カツトの真ん中がカツトすることができないために、ツノ有り袋が沢山できる。【０００４】  従来の袋の製袋装置では、角丸カツト部を二度切り加工を行っていた。
【考案が解決するための手段】
【０００５】    解決する手段のおいて、下記は、２００，ｍｍ等の記号は仮定の数字である、又ｍｍ表記は省略する。
【０００６】  合成樹脂性フイルムに、各袋の定寸２００カツト位置が印刷されているフイルムの、袋の四隅を角丸に加工された角丸袋の製袋装置において、下記の手段を用いる、
各袋の定寸カツト寸法２００を設定１する、次に、センサー６にて、各袋の定寸カツト位置が印刷されている、印刷間隔Ｂ２を計測２０１をする、計測２０１された袋Ｂの計測袋部Ｂがカツト位置にきたときに、計測袋Ｂの計測数２０１をサーボモータ７に伝達してサーボモータ７を停止させてカツトする、
【０００７】  上記一連の手段において、角丸カツト４装置を、定位置に角丸カツト装置を設定する、角丸カツト装置は平行移動式アクチュエータ４を使用する、上記センサー６にて、各袋の定寸カツト位置が印刷されている、印刷間隔Ｂ２を計測２０１された袋Ｂの計測袋部Ｂが角丸カツト位置にきたときに、計測袋Ｄの計測数２０１を平行移動式アクチュエータ５に伝達して平行移動式アクチュエータ５を角丸カツトと位置に平行移動式アクチュエータ５が角丸カツト装置を移動させて、角丸カット３する、
【考案の効果】
【０００８】  本考案は、角丸袋の製袋装置の考案であつて、角丸袋の四隅角が角丸であることが、考案の効果である。
【考案の実施するための形態】
【０００９】  本考案の実施の形態を図面を参照しながら詳細に説明する。なお、以下の説明にあたって、同一構成要件については、同一符号を付けて、重複した説明を省略する。
【００１０】  本考案は、合成樹脂性フイルムに、各袋の定寸カツト位置が印刷されている、フイルムを、袋の四隅を角丸に加工された角丸袋の製袋装置において、下記の実施するための形態を説明する、
各袋の定寸カツト寸法１を設定２００する、次に、センサー６にて、各袋の定寸カツト位置が印刷されている、印刷間隔Ａ２を計測２０１をする、計測２０１された袋Ａの計測袋部Ａがカツト位置３にきたときに、計測袋Ａの計測数２０１をサーボモータ７に伝達してサーボモータ７停止させてカツト８する、
【００１１】  角丸カツト４装置を、定位置に角丸カツト装置を設定する、角丸カット装置は平行移動式アクチュエータ５を使用する、上記センサー６にて、各袋の定寸カツト位置が印刷されている、印刷間隔Ｄ２を計測された袋Ｄの計測袋部Ｄが角丸カツト位置３にきたときに、計測袋Ｄの計測数２０１を平行移動式アクチュエータ５に伝達して平行移動式アクチュエータ５を角丸カツトと位置に平行移動式アクチュエータ５が角丸カツト装置を平行移動式アクチュエータ５によつて移動させて、角丸カットする
【００１２】
【実施例】
【００１３】      上記によって、袋の角丸カツト装置を平行移動式アクチュエータ５によつて、平行移動して、角丸カットを行う、角丸袋の製袋装置。
図３
【図面の簡単な説明】
【図１】  本考案の、角丸袋の並列説明図てある。
【図２】  本考案の製袋の説明図である。
【図３】  角丸カット装置の平行移動式アクチュエータ移動の説明図である。
【符号の説明】１  定数送り寸法（２００ｍｍ）
２  測定送り寸法（２０１ｍｍ）
３  袋のカツト位置
４  角丸カツト部（平行移動式アクチェータ）
５  角丸カツト位置
６  測位センサー
７  袋カット、サーボモータ
Ａ  Ａ，Ｂ，Ｃ，Ｄ，は袋の送り位置
【図１】
0003215085.tif 000003
【図２】
0003215085.tif 000004
【図３】
0003215085.tif 000005
【手続補正書】
【提出日】平成29年12月7日(2017.12.7)
【手続補正１】
【補正対象書類名】実用新案登録請求の範囲
【補正対象項目名】全文
【補正方法】変更
【補正の内容】
【実用新案登録請求の範囲】
【請求項１】
合成樹脂性フイルムに、各袋の定寸カット位置が印刷されている、フイルムの袋の四隅を角丸に加工された角丸袋の製袋装置において、
（１）各袋の定寸カツト寸法を設定１する手段、
（２）各袋の定寸カツト位置が印刷されている、印刷間隔Ａ２を計測２するセンサー６
（３）計測された袋Ａの計測袋部がカツト位置３にきたときに、計測袋Ａの計測値２をサーボモータ７に伝達してサーボモータを停止させてカツトする手段、
以上の（１）〜（３）の構成からなる角丸袋の製袋装置。
【請求項２】
前記（１）〜（３）において、定位置に角丸カツト装置４を設定し、角丸カツト装置４は平行移動式アクチュエータ５を使用し、前記センサー６にて、各袋の定寸カツト位置が印刷されている、印刷間隔Ｂ２を計測された袋Ｂの計測袋部が角丸カツト位置にきたときに、計測袋Ｂの計測値２をサーボモータ７に伝達して平行移動式アクチュエータ５を角丸カツト位置に移動させて角丸カツトする請求項１に記載の角丸袋の製袋装置。